(57)【要約】【課題】  クラッチ機構を設けずに、簡素な構造で、合鍵の抜かれた一方のシリンダー錠を他方のシリンダー錠の回動操作に連動させることができる施解錠装置を得る。【解決手段】  錠箱を内蔵する扉の屋内外面１５，１７にシリンダー錠１９，２１がそれぞれ設けられた施解錠装置１００であって、一方のシリンダー錠１９と錠箱との間に介装される固定筒２３と、固定筒２３に回転自在に内設されるコア軸２９と、固定筒２３に回転自在に内設されるサムターン筒３７と、サムターン筒３７に半径方向で摺動自在に内設されタンブラー４７ａ〜４７ｊに当接してシアーラインを一致させる解除部材６１と、サムターン筒３７に揺動自在に支持されコア軸２９の回転で揺動され、この揺動動作によって解除部材６１を移動してシアーラインを一致させる揺動板６９ａ，６９ｂとを設けた。【選択図】      図２
2006132098.tif 000002
【特許請求の範囲】
【請求項１】
錠箱を内蔵する扉の屋内外面にシリンダー錠がそれぞれ設けられた施解錠装置であって、
一方のシリンダー錠と前記錠箱との間に介装される固定筒と、
該固定筒に回転自在に内設され前記錠箱の入出力軸に連結されるコア軸と、
前記固定筒に回転自在に内設され前記一方のシリンダー錠の内筒に連結されるサムターン筒と、
該サムターン筒に半径方向で摺動自在に内設され一端部が前記一方のシリンダー錠のタンブラーに当接してシアーラインを一致させる解除部材と、
前記サムターン筒に揺動自在に支持され前記コア軸に突設された突起板に平行に当接配置され前記コア軸の回転で該突起板を介して揺動され、該揺動動作によって前記解除部材の他端部を移動して前記一端部で前記タンブラーのシアーラインを一致させる揺動板と、
を具備したことを特徴とする施解錠装置。
【請求項２】
前記突起板を挟持する少なくとも一対の前記揺動板が設けられ、
該一対の揺動板によって他端部が移動される一対の前記解除部材が設けられ、
該一対の解除部材によって前記タンブラーが２方向から挟持されてシアーラインが一致されることを特徴とする請求項１記載の施解錠装置。
【発明の詳細な説明】
【技術分野】
【０００１】
本発明は、扉や引き戸等の開閉体に好適に用いられる施解錠装置に関し、さらに詳しくは、サムターンに代えてシリンダー錠が開閉体の屋内面にも設けられる施解錠装置に関する。
【背景技術】
【０００２】
玄関扉には、一般的にシリンダー錠が屋外面に設けられ、このシリンダー錠に屋外側から合鍵を挿入して回動することで、扉に内蔵された錠箱の施解錠機構を作動させ、扉からロックボルトを扉枠へと進退させて扉の施解錠を可能としている。その一方で、玄関扉の屋内面には、サムターンが設けられ、屋内側よりサムターンを摘んで回転操作することで、扉内の錠箱へ施解錠操作力を入力し、扉の施解錠を簡便に行えるようにしている。
【０００３】
ところが、近年、優美性や採光性を高めるなどの目的で設けられた扉の小窓や、確認用の覗き孔、或いは扉等に設けられた郵便受けから針金や棒状具を挿入してサムターンを回転し、扉を不正に解錠する所謂サムターン回し等の犯罪が多発している。
【０００４】
このような不正行為を防止して防犯性の向上を図るものとして扉の屋内外両面にシリンダー錠をそれぞれ設けた施解錠装置が提案されている。この施解錠装置では、錠箱に両シリンダー錠が機械的に連結され、いずれか一方のシリンダー錠の操作により、錠箱による施解錠が可能となっている。
【０００５】
この施解錠装置では、一般の施錠装置と同様、外出時及び帰宅時に、屋外側から合鍵が差し込まれ、施解錠が行われる。一方、屋内側のシリンダー錠には、通常合鍵が取り付けられた状態となり、必要時、例えば就寝時や外出時には合鍵が取り外される。これにより、外出時には屋外側から施錠を行うことで、仮にガラス窓等が破壊された場合であっても、屋内側にサムターンが存在しないため、サムターン回しによる不正解錠が不能となる。また、就寝時においても、内側の合鍵を回動し、扉を施錠状態とした後、屋内側の合鍵（サムターン）を抜いておくことにより、ガラス窓等が破壊された場合であってもサムターンを回すことによる不正解錠が不能となった。
【発明の開示】
【発明が解決しようとする課題】
【０００６】
ところで、シリンダー錠は、複数のタンブラーを内蔵し、合鍵を挿入することにより全てのタンブラーのシアーラインを直線上に一致させ、合鍵挿入筒（以下、「内筒」とも称す。）の回転を可能としている（つまり、施解錠を可能としている）。したがって、合鍵を挿入しない状態では、タンブラーのシアーラインが一致せずに内筒の回転は不能となる。このため、単純に、屋内外のシリンダー錠における内筒が錠箱の入出力に共に直結された構造とすれば、いずれか一方の合鍵が抜かれた状態では、当該シリンダー錠の回転不能となった内筒によって、他方のシリンダー錠も回転不能となってしまう。
このため、上記した従来の施解錠装置では、錠箱とシリンダー錠との間に、クラッチ機構を介在させることで、一方のシリンダー錠に合鍵が挿入されていない状態であっても、クラッチ機構が作動して、一方のシリンダー錠の回転不能状態には拘束されず、他方のシリンダー錠が回転自在となり、施解錠操作が可能となるようになっていた。
しかしながら、このようなクラッチ機構を設けた構造では、屋内外に設けられた２つのシリンダー錠同士の連動がクラッチ機構によってキャンセルされるため、屋内外のどちらのシリンダー錠からでも他方のシリンダー錠を連動回転させながら施解錠を行うことができなかった。このため、例えば屋内側のシリンダー錠から合鍵が抜かれた状態で、屋外側のシリンダー錠に差し込まれた合鍵が回転されると、クラッチ機構によって屋内側のシリンダー錠へは回転が伝達されず、その結果、錠箱の施解錠状態が屋内側のシリンダー錠から判断できなくなり、すなわち、合鍵の抜かれた鍵穴が回転していないこととなることで、錠箱内の状態が目視不可能となり、操作性が悪い問題があった。また、クラッチ機構を設けた施解錠装置では、構造が複雑になるとともに、装置全体も大きくなり、さらには部品点数も増えて装置コストが増大した。
【０００７】
本発明は上記状況に鑑みてなされたもので、クラッチ機構を設けずに、簡素な構造で、合鍵の抜かれた一方のシリンダー錠を他方のシリンダー錠の回動操作に連動させながら、錠箱の施解錠が可能となる施解錠装置を提供し、もって、コストの低減と、操作性の向上を共に図ることを目的とする。
【課題を解決するための手段】
【０００８】
次に、上記の課題を解決するための手段を、実施の形態に対応する図面を参照して説明する。
本発明の請求項１記載の施解錠装置１００は、錠箱１１を内蔵する扉１３の屋内外面１５，１７にシリンダー錠１９，２１がそれぞれ設けられた施解錠装置１００であって、
一方のシリンダー錠１９と前記錠箱１１との間に介装される固定筒２３と、
該固定筒２３に回転自在に内設され前記錠箱１１の入出力軸に連結されるコア軸２９と、
前記固定筒２３に回転自在に内設され前記一方のシリンダー錠１９の内筒４３に連結されるサムターン筒３７と、
該サムターン筒３７に半径方向で摺動自在に内設され一端部６１ｂが前記一方のシリンダー錠１９のタンブラー４７ａ〜４７ｊに当接してシアーライン５９を一致させる解除部材６１と、
前記サムターン筒３７に揺動自在に支持され前記コア軸２９に突設された突起板３５に平行に当接配置され前記コア軸２９の回転で該突起板３５を介して揺動され、該揺動動作によって前記解除部材６１の他端部６１ｃを移動して前記一端部６１ｂで前記タンブラー４７ａ〜４７ｊのシアーライン５９を一致させる揺動板６９ａと、
を具備したことを特徴とする。
【０００９】
この施解錠装置１００では、例えば一方のシリンダー錠１９から合鍵５７が抜かれ、他方のシリンダー錠２１に合鍵が差し込まれた状態において、合鍵が回転操作されると、この回転操作力が錠箱１１の入出力軸を介してコア軸２９に伝達される。コア軸２９が回転されると、突起板３５を介して揺動板６９ａが揺動され、この揺動板６９ａの揺動動作によって解除部材６１がタンブラー４７ａ〜４７ｊのシアーライン５９を一致させる。これにより、一方のシリンダー錠１９は、施錠が解除され、内筒４３が回転可能な状態となる。したがって、他方のシリンダー錠２１は、一方のシリンダー錠１９を従動させながら回転可能となる。なお、一方のシリンダー錠１９からは、従来のサムターン操作によってなされていた錠箱内の機構による施解錠動作と同様に、他方のシリンダー錠２１から合鍵が抜かれている状態においても、回動操作が可能となる。
【００１０】
請求項２記載の施解錠装置１００は、前記突起板３５を挟持する少なくとも一対の前記揺動板６９ａ，６９ｂが設けられ、
該一対の揺動板６９ａ，６９ｂによって他端部６１ｃ，６３ｃが移動される一対の前記解除部材６１，６３が設けられ、
該一対の解除部材６１，６３によって前記タンブラー４７ａ〜４７ｊが２方向から挟持されてシアーライン５９が一致されることを特徴とする。
【００１１】
この施解錠装置１００では、タンブラー４７ａ〜４７ｊが一対の解除部材６１，６３によって２方向から挟持され、タンブラー４７ａ〜４７ｊの片側のみで解除部材６１を当接させてシアーライン５９を一致させる構造に対し、上下反転させたタンブラーを含む組み合わせたタンブラー４７ａ〜４７ｊの使い方も可能となる。
【発明の効果】
【００１２】
本発明に係る請求項１記載の施解錠装置によれば、一方のシリンダー錠から合鍵が抜かれている状態であっても、他方のシリンダー錠に合鍵が差し込まれて回転操作されると、この回転操作力が錠箱の入出力軸を介してコア軸に伝達され、コア軸が揺動板を揺動させることで、この揺動板の揺動動作によって解除部材がタンブラーのシアーラインを一致させることになる。したがって、一方のシリンダー錠が他方のシリンダー錠に従動して回転可能となる。これにより、クラッチ機構を設けずに、簡素な構造で、合鍵の抜かれた一方のシリンダー錠を他方のシリンダー錠の回動操作に連動させながら、錠箱の施解錠を可能にできる。この結果、施解錠装置のコスト低減と、操作性の向上を共に達成することができる。すなわち、一方のシリンダー錠を屋内側シリンダー錠とし、他方のシリンダー錠を屋外側シリンダー錠とした場合には、サムターンとなる一方のシリンダー錠（屋内側シリンダー錠）の合鍵が取り外された状態でも、他方のシリンダー錠（屋外側シリンダー錠）の屋外側からの操作に連動して、一方のシリンダー錠の鍵穴の向きが回転し、これにより、施解錠状態を目視可能となる。
【００１３】
請求項２記載の施解錠装置によれば、一対の解除部材が設けられ、タンブラーが一対の解除部材によって２方向から挟持されてシアーラインが一致されるので、タンブラーの片側のみで解除部材を当接させてシアーラインを一致させる構造に対し、上下反転させたタンブラーの使い方も可能となる。これにより、組み合わせ数を多くした（すなわち、合鍵の山谷形状のバリエーションを多くした）タンブラー使いにも対応可能となり、施解錠装置の鍵違い数を増大させることができる。
【発明を実施するための最良の形態】
【００１４】
以下、本発明に係る施解錠装置の好適な実施の形態を図面を参照して詳細に説明する。
図１は本発明に係る施解錠装置の概念図である。
本実施の形態に係る施解錠装置１００は、錠箱１１を内蔵する扉１３の屋内面１５，屋外面１７にシリンダー錠がそれぞれ設けられている。以下、本実施の形態では、一方のシリンダー錠を屋内側シリンダー錠１９と称し、他方のシリンダー錠を屋外側シリンダー錠２１と称する。なお、本発明に係る施解錠装置では、本実施の形態とは逆側、すなわち、一方のシリンダー錠が屋外側、他方のシリンダー錠が屋内側に設けられてもよい。また、屋内側シリンダー錠１９と屋外側シリンダー錠２１とは、同一の合鍵を共用するものでも、異なる合鍵をそれぞれに使用するもののいずれであってもよい。さらに、少なくとも屋内側シリンダー錠１９は、合鍵の挿入孔（鍵穴）が矩形状に形成され、この鍵穴は内筒と共に回転される構造となっている。また、説明の都合上、扉を挟む２つの空間を屋内外と称するが、当該２つの空間は、室内外、或いは間仕切り扉の場合の２つの居室空間であっても勿論よい。
【００１５】
本実施の形態による施解錠装置１００が取付けられる扉１３には錠箱１１が設けられ、錠箱１１は図示しないラッチボルト、デッドボルト、及びこれらを扉１３の木口から進退させる錠箱機構部を内設している。錠箱１１のデッドボルトは、扉１３の屋外側の面１７に設けた屋外側シリンダー錠２１を合鍵によって、又は扉１３の屋内側の面１５に設けられた屋内側シリンダー錠１９を合鍵によって回動することで、扉１３の木口から進退可能となっている。
【００１６】
図２は屋内側シリンダー錠の縦断面図である。
屋内側シリンダー錠１９のシリンダー錠本体１９ａと錠箱１１との間には固定筒２３が介装される。固定筒２３の軸線方向一端側の外周には一対の固定部２５，２５が突設され、固定部２５，２５は固定穴２７を有している。固定筒２３は、扉内に設けられた錠箱１１にこの固定穴２７を介して固定される。
【００１７】
固定筒２３の内部にはコア軸２９が回転自在に内設され、コア軸２９は錠箱１１側へ突出する連結軸２９ａが錠箱１１の図示しない入出力軸に連結される。コア軸２９は、固定筒２３の内周に形成された周溝３１に嵌入する押さえリング３３によって、固定筒２３からの脱落が防止される。コア軸２９は、図３示すように、先端面に突起板３５を突設している。したがって、錠箱１１の図示しない入出力軸が回転されれば、突起板３５が回転されることとなる。
【００１８】
図３は屋内側シリンダー錠の要部分解斜視図である。
このコア軸２９は、連結軸２９ａと突起板３５との間にフランジ部２９ｂが形成され、フランジ部２９ｂはシリンダー錠本体１９ａ側の面に一対の係合凸部２９ｃ，２９ｃを突設している。
【００１９】
固定筒２３の内部には、コア軸２９とシリンダー錠本体１９ａとの間で、サムターン筒３７が回転自在に内設される。サムターン筒３７のコア軸２９側の端面には二対の回転規制突起３７ａ，３７ｂ，３９ａ，３９ｂが突設され、回転規制突起３７ａ，３７ｂの間、及び回転規制突起３９ａ，３９ｂの間のそれぞれには上記コア軸２９の係合凸部２９ｃが配置されるようになっている。このサムターン筒３７は、図２に示す連結リング部材４１を介して、シリンダー錠本体１９ａの内筒４３に相対回転不能に連結される。
【００２０】
図４は合鍵が抜かれた状態の屋内側シリンダー錠の縦断面図、図５は図４に示したシリンダー錠の軸線垂直方向の断面図である。
内筒４３は、コア軸２９に同軸に固定された外筒４５に、回動自在に内設される。内筒４３には複数、例えば１０個のタンブラー４７ａ〜４７ｊが直径方向に移動自在に内蔵される。図３に示すように、それぞれのタンブラー４７ａ〜４７ｊには移動方向に直交する突起４９が突設され、タンブラー４７ａ〜４７ｊはこの突起４９がコイルバネ５１によって付勢されることで、図４に示すように、内筒４３の半径方向外側へ先端が突出する。これにより、図５に示すように、外筒４５の係止空間５３に各タンブラー４７ａ〜４７ｊが係止して内筒４３の回転が阻止されている。
【００２１】
なお、本実施の形態では、同一形状のタンブラーを上下反転させて組み合わせ使用することで、鍵違い数が簡便に増大される構成となっている。
【００２２】
図６は合鍵が挿入された状態の屋内側シリンダー錠の縦断面図、図７は図６に示したシリンダー錠の軸線垂直方向の断面図である。
一方、シリンダー錠本体１９ａは、図６に示すように、内筒４３の鍵穴５５に合鍵５７が挿入されると、合鍵５７の山谷形状に応じて各タンブラー４７ａ〜４７ｊが直径方向の所定位置にコイルバネ５１に抗して移動され、突出先端が内筒４３の外周面に揃う、すなわち、シアーライン５９が一致するように配置される。これにより、図７に示すように、タンブラー４７ａ〜４７ｊと係止空間５３との係止が解除され、内筒４３が外筒４５に対して回動可能、すなわち、施解錠可能となる。
【００２３】
したがって、この合鍵５７は、従来のサムターンとしての作用を有することとなる。すなわち、合鍵５７が回転されると、内筒４３が回転され、内筒４３の回転規制突起３７ａ，３７ｂ，３９ａ，３９ｂが、コア軸２９の係合凸部２９ｃ，２９ｃに係合してコア軸２９を回転させる。コア軸２９が回動されることにより、錠箱１１の入出力軸が回動され、錠箱１１の施解錠機構が施解錠動作されることになる。なお、この際、屋内側シリンダー錠１９からは、従来のサムターン操作によってなされていた錠箱内の機構による施解錠動作と同様に、屋外側シリンダー錠２１の合鍵が抜かれている状態においても、回動操作は可能である。
【００２４】
これに対し、屋内側シリンダー錠１９から合鍵５７が抜かれた状態では、屋外側シリンダー錠２１に合鍵が挿入されても、屋内側シリンダー錠１９のタンブラー４７ａ〜４７ｊが係合状態にあり、内筒４３が回転不能な状態、すなわち、施錠状態となる。したがって、内筒４３と、連結リング部材４１、サムターン筒３７を介して連結されたコア軸２９が回転不能となることで、錠箱１１の入出力軸も回転が阻止され、その結果、屋外側シリンダー錠２１の合鍵も回転不能となってしまう。本実施の形態では、このような状態、すなわち、屋内側シリンダー錠１９から合鍵５７が抜かれた状態における屋外側シリンダー錠２１の回動操作を、以下の構成により可能としている。
【００２５】
すなわち、固定筒２３の内部には、サムターン筒３７の軸線直交方向で摺動自在な一対の解除部材６１，６３が内設されている。解除部材６１は、図３に示すように、縦軸６１ａの上端でシリンダー錠本体１９ａ側へ向かって突出する一端部としての解除杆６１ｂと、縦軸６１ａの下端で錠箱側へ向かって突出する他端部としての離間片６１ｃとを有している。また、解除部材６３は、縦軸６３ａの下端でシリンダー錠本体１９ａ側へ向かって突出する一端部としての解除杆６３ｂと、縦軸６１ａの上端で錠箱側へ向かって突出する他端部としての離間片６３ｃとを有している。
【００２６】
解除部材６１，６３は、通常状態、すなわち、コア軸２９の突起板３５が回転されていない状態で、解除杆６１ｂ，６３ｂの間に挟入された圧縮バネ６５によって、解除杆６１ｂ，６３ｂが離間配置される一方、離間片６１ｃ，６３ｃが接近方向に配置されている。この状態では、解除杆６１ｂ，６３ｂは、図５，図７に示すように、各タンブラー４７ａ〜４７ｊの突起４９を押圧しない。したがって、図２に示すように、タンブラー４７ａ〜４７ｊは、係止空間５３に突出した状態となる。
【００２７】
図８は屋外側シリンダー錠の回転操作過程を（ａ）（ｂ）で表した動作説明図である。
サムターン筒３７の回転規制突起３７ａ，３９ａの間、及び回転規制突起３７ｂ，３９ｂの間には、図３に示すように、軸６７ａ，６７ｂが突設されている。この軸６７ａ，６７ｂには、二対の揺動板６９ａ，６９ｂ，７１ａ，７１ｂが揺動自在に支持されている。揺動板６９ａ，６９ｂ，７１ａ，７１ｂは、図８（ａ）に示すように、上記したコア軸２９の突起板３５を軸線直交方向の両側から挟持する。
【００２８】
突起板３５を挟持した揺動板６９ａ，６９ｂ，７１ａ，７１ｂは、屋外側シリンダー錠２１が合鍵によって回転され、これに伴ってコア軸２９が回転されることで、図８（ｂ）に示すように、この突起板３５によって開脚される。揺動板６９ａ，６９ｂ，７１ａ，７１ｂは、この開脚動作によって、一対の解除部材６１，６３の他端部同士、すなわち、離間片６１ｃ，６３ｃ同士を離反方向に移動して、一端部同士、すなわち、解除杆６１ｂ，６３ｂ同士を接近方向に移動させ、これにより各解除杆６１ｂ，６３ｂが突起４９をコイルバネ５１の付勢力に抗して押圧し、タンブラー４７ａ〜４７ｊを係合解除方向に移動させる。
【００２９】
次に、上記の構成を有する施解錠装置１００の作用を説明する。
図９は屋外側シリンダー錠の回転操作が開始された状態における合鍵の挿入されていない屋内側シリンダー錠の縦断面図、図１０は図９に示したシリンダー錠の軸線垂直方向の断面図である。
施解錠装置１００は、通常状態において、図６に示すように、屋内側シリンダー錠１９に合鍵５７が挿入され、この合鍵５７が従来のサムターンとして働く。したがって、屋外側シリンダー錠２１に合鍵を挿入することで、錠箱１１の施解錠が可能になる。この際、屋内側シリンダー錠１９に差し込まれた合鍵５７も連動回転することとなる。また、屋内側からは、屋内側シリンダー錠１９に挿入された合鍵５７を回動操作することで、従来のサムターンと同様に、屋外側シリンダー錠２１に合鍵が挿入されているか否かにかかわらず、錠箱１１による施解錠操作が可能となる。
【００３０】
一方、屋内側シリンダー錠１９から合鍵５７が抜かれ、屋外側シリンダー錠２１に合鍵が差し込まれた状態において、図９に示すように、屋外側より合鍵が回転操作されると、この回転操作力が錠箱１１の入出力軸を介してコア軸２９に伝達される。コア軸２９が回転されると、突起板３５を介して揺動板６９ａ，６９ｂ，７１ａ，７１ｂが揺動され、この揺動板６９ａ，６９ｂ，７１ａ，７１ｂの揺動動作によって解除部材６１，６３の解除杆６１ｂ，６３ｂがタンブラー４７ａ〜４７ｊのシアーライン５９を一致させる。
【００３１】
これにより、屋内側シリンダー錠１９は、図１０に示すように、タンブラー４７ａ〜４７ｊが係止空間５３から内筒４３へ後退され、係止が解除されて、施錠が解除される。その結果、内筒４３が回転可能な状態となり、屋外側シリンダー錠２１は、屋内側シリンダー錠１９を従動させながら回転が可能となる。
【００３２】
したがって、上記の施解錠装置１００によれば、屋内側シリンダー錠１９から合鍵５７が抜かれている状態であっても、屋外側シリンダー錠２１に合鍵が差し込まれて回転操作されると、この回転操作力が錠箱１１の入出力軸を介してコア軸２９に伝達され、コア軸２９が揺動板６９ａ，６９ｂ，７１ａ，７１ｂを揺動させることで、この揺動動作によって解除杆６１ｂ，６３ｂがタンブラー４７ａ〜４７ｊのシアーラインを一致させることになる。これにより、クラッチ機構を設けずに、簡素な構造で、合鍵５７の抜かれた屋内側シリンダー錠１９を屋外側シリンダー錠２１の回動操作に連動させながら、錠箱１１の施解錠を可能にできる。
【００３３】
そして、屋内側シリンダー錠１９は、連動する内筒４３に伴って矩形状の鍵穴５５が回転するので、この鍵穴５５の回転姿勢を目視することで、錠箱１１の施解錠状態を容易に知ることができる。この結果、施解錠装置のコスト低減と、操作性の向上を共に達成することができる。
【００３４】
また、本実施の形態では、一対の解除部材６１，６３が設けられ、タンブラー４７ａ〜４７ｊが２方向から挟持されてシアーラインが一致されるので、タンブラー４７ａ〜４７ｊの片側のみで解除部材６１を当接させてシアーラインを一致させる構造に対し、上下反転させたタンブラー４７ａ〜４７ｊの使い方も可能となる。これにより、組み合わせ数を多くした、すなわち、合鍵の山谷形状のバリエーションを多くしたタンブラー使いにも対応可能となり、施解錠装置１００の鍵違い数を増大させることができる。
【００３５】
なお、上記の実施の形態では、一対の解除部材６１，６３を設けた例を説明したが、本発明に係る施解錠装置では、一つの解除部材であっても、上記した基本的な作用効果を奏するものである。
【００３６】
また、屋内側とした一方のシリンダー錠１９の合鍵５７の形状、特に操作を行う部分である摘みの形状については上述の実施の形態では特に詳述していないが、従来のサムターン摘みと同様に手指に馴染む形状や操作の行いやすい形状など、機能性，意匠性を付加することとしてもよい。
【図面の簡単な説明】
【００３７】
【図１】本発明に係る施解錠装置の概念図である。
【図２】屋内側シリンダー錠の縦断面図である。
【図３】屋内側シリンダー錠の要部分解斜視図である。
【図４】合鍵が抜かれた状態の屋内側シリンダー錠の縦断面図である。
【図５】図４に示したシリンダー錠の軸線垂直方向の断面図である。
【図６】合鍵が挿入された状態の屋内側シリンダー錠の縦断面図である。
【図７】図６に示したシリンダー錠の軸線垂直方向の断面図である。
【図８】屋外側シリンダー錠の回転操作過程を（ａ）（ｂ）で表した動作説明図である。
【図９】屋外側シリンダー錠の回転操作が開始された状態における合鍵の挿入されていない屋内側シリンダー錠の縦断面図である。
【図１０】図９に示したシリンダー錠の軸線垂直方向の断面図である。
【符号の説明】
【００３８】
１１…錠箱
１３…扉
１５…屋内面
１７…屋外面
１９…シリンダー錠（屋内側シリンダー錠）
２３…固定筒
２９…コア軸
３５…突起板
３７…サムターン筒
４３…内筒
４７ａ〜４７ｊ…タンブラー
５９…シアーライン
６１，６３…解除部材
６１ｂ，６３ｂ…一端部（解除杆）
６１ｃ，６３ｃ…他端部（離間片）
６９ａ，６９ｂ，７１ａ，７１ｂ…揺動板
１００…施解錠装置
【図１】
2006132098.tif 000003
【図２】
2006132098.tif 000004
【図３】
2006132098.tif 000005
【図４】
2006132098.tif 000006
【図５】
2006132098.tif 000007
【図６】
2006132098.tif 000008
【図７】
2006132098.tif 000009
【図８】
2006132098.tif 000010
【図９】
2006132098.tif 000011
【図１０】
2006132098.tif 000012